【手続補正書】
【提出日】平成19年10月16日(2007.10.16)
【手続補正１】
【補正対象書類名】特許請求の範囲
【補正対象項目名】全文
【補正方法】変更
【補正の内容】
【特許請求の範囲】
【請求項１】
印刷装置に画像データを供給する画像供給装置であって、
前記印刷装置に供給する画像の内、所定の画像処理を必要とする画像とそれ以外の画像のそれぞれに対してそれぞれ第１と第２の参照番号を設定する設定手段と、
前記印刷装置に、印刷対象の画像の参照番号を含む印刷ジョブを発行する発行手段と、
前記発行手段による印刷ジョブの発行に応答して前記印刷装置から要求される画像の前記参照番号が前記第１の参照番号である場合、前記第１の参照番号に対応する画像データに対して前記所定の画像処理を実行して前記印刷装置に供給する第１画像供給手段と、
前記ジョブ発行手段による印刷ジョブの発行に応答して前記印刷装置から要求される画像の前記参照番号が前記第２の参照番号である場合、前記第２の参照番号に対応する画像データを読み出して前記印刷装置に供給する第２画像供給手段と、
を有することを特徴とする画像供給装置。
【請求項２】
前記第２の参照番号の設定を前記印刷装置へ通知する設定通知手段と、
前記印刷ジョブの完了に応じて、前記第２の参照番号を破棄するように前記印刷装置に通知する破棄通知手段とを更に有することを特徴とする請求項１に記載の画像供給装置。
【請求項３】
前記第２の参照番号の設定を前記印刷装置へ通知する設定通知手段と、
印刷するページの更新に応じて、前記第２の参照番号を破棄するように前記印刷装置に通知する破棄通知手段とを更に有することを特徴とする請求項１に記載の画像供給装置。
【請求項４】
前記印刷装置に供給する画像は、ユーザにより指定された印刷対象の画像であることを特徴とする請求項１乃至３のいずれか１項に記載の画像供給装置。
【請求項５】
前記第２の参照番号は、実際に記憶されている画像データを参照し、前記第１の参照番号は、前記第２の参照番号に対応する画像データの仮想参照番号であることを特徴とする請求項１乃至４のいずれか１項に記載の画像供給装置。
【請求項６】
画像データを印刷装置に供給する画像供給装置であって、
第１画像データに対して第１の参照番号を設定し、前記第１画像データに対して所定の画像処理を施した第２画像データに対して第２の参照番号を設定する設定手段と、
前記第１の参照番号を含む印刷ジョブを前記印刷装置へ送信して印刷を指示する制御手段と、
前記印刷ジョブに応答して前記印刷装置からの画像要求を受信する受信手段と、
前記画像要求が前記第２の参照番号を含む場合、当該第２の参照番号に対応する前記第１の参照番号に対応する前記第１画像データに対して前記所定の画像処理を施して前記第２画像データを作成する画像処理手段と、
前記画像処理手段により作成された前記第２画像データを前記印刷装置へ送信する送信手段と、
を有することを特徴とする画像供給装置。
【請求項７】
前記印刷装置から前記第１の参照番号に対応する画像情報が要求されると、対応する前記第１画像データの画像のサイズを前記印刷装置へ送信するサイズ送信手段を更に有することを特徴とする請求項６に記載の画像供給装置。
【請求項８】
前記所定の画像処理は、画像の回転、リサイズ、色変換処理の少なくともいずれかを含むことを特徴とする請求項１乃至７のいずれか１項に記載の画像供給装置。
【請求項９】
印刷装置に画像データを供給する画像供給装置の制御方法であって、
前記印刷装置に供給する画像の内、所定の画像処理を必要とする画像とそれ以外の画像のそれぞれに対してそれぞれ第１と第２の参照番号を設定する設定工程と、
前記印刷装置に、印刷対象の画像の参照番号を含む印刷ジョブを発行するジョブ発行工程と、
前記ジョブ発行工程での印刷ジョブの発行に応答して前記印刷装置から要求される画像の前記参照番号が前記第１の参照番号である場合、前記第１の参照番号に対応する画像データに対して前記所定の画像処理を実行して前記印刷装置に供給する第１画像供給工程と、
前記ジョブ発行工程での印刷ジョブの発行に応答して前記印刷装置から要求される画像の前記参照番号が前記第２の参照番号である場合、前記第２の参照番号に対応する画像データを読み出して前記印刷装置に供給する第２画像供給工程と、
を有することを特徴とする画像供給装置の制御方法。
【請求項１０】
前記第２の参照番号の設定を前記印刷装置へ通知する設定通知工程と、
前記印刷ジョブの完了に応じて、前記第２の参照番号を破棄するように前記印刷装置に通知する破棄通知工程とを更に有することを特徴とする請求項９に記載の画像供給装置の制御方法。
【請求項１１】
前記印刷装置に供給する画像は、ユーザにより指定された印刷対象の画像であることを特徴とする請求項９又は１０に記載の画像供給装置の制御方法。
【請求項１２】
前記第２の参照番号は、実際に記憶されている画像データを参照し、前記第１の参照番号は、前記第２の参照番号に対応する画像データの仮想参照番号であることを特徴とする請求項９乃至１１のいずれか１項に記載の画像供給装置の制御方法。
【請求項１３】
画像データを印刷装置に供給する画像供給装置の制御方法であって、
第１画像データに対して第１の参照番号を設定し、前記第１画像データに対して所定の画像処理を施した第２画像データに対して第２の参照番号を設定する設定工程と、
前記第１の参照番号を含む印刷ジョブを前記印刷装置へ送信して印刷を指示する制御工程と、
前記印刷ジョブに応答して前記印刷装置からの画像要求を受信する受信工程と、
前記画像要求が前記第２の参照番号を含む場合、当該第２の参照番号に対応する前記第１の参照番号に対応する前記第１画像データに対して前記所定の画像処理を施して前記第２画像データを作成する画像処理工程と、
前記画像処理工程で作成された前記第２画像データを前記印刷装置へ送信する送信工程と、
を有することを特徴とする画像供給装置の制御方法。
【請求項１４】
前記印刷装置から前記第１の参照番号に対応する画像情報が要求されると、対応する前記第１画像データの画像のサイズを前記印刷装置へ送信するサイズ送信工程を更に有することを特徴とする請求項１３に記載の画像供給装置の制御方法。
【請求項１５】
前記所定の画像処理は、画像の回転、リサイズ、色変換処理の少なくともいずれかを含むことを特徴とする請求項９乃至１４のいずれか１項に記載の画像供給装置の制御方法。
【請求項１６】
画像供給装置から印刷装置に画像データを供給して印刷する印刷システムであって、
前記画像供給装置は、
前記印刷装置に供給する画像の内、所定の画像処理を必要とする画像とそれ以外の画像のそれぞれに対してそれぞれ第１と第２の参照番号を設定する設定手段と、
前記印刷装置から、印刷対象の画像の参照番号を含む印刷ジョブを発行するジョブ発行手段と、
前記ジョブ発行手段による印刷ジョブの発行に応答して前記印刷装置から要求される画像の前記参照番号が前記第１の参照番号である場合、前記第１の参照番号に対応する画像データに対して前記所定の画像処理を実行して前記印刷装置に供給する第１画像供給手段と、
前記ジョブ発行手段による印刷ジョブの発行に応答して前記印刷装置から要求される画像の前記参照番号が前記第２の参照番号である場合、前記第２の参照番号に対応する画像データを読み出して前記印刷装置に供給する第２画像供給手段とを有し、
前記印刷装置は、
前記印刷ジョブに含まれる画像の参照番号を用いて前記画像供給装置に画像データを要求する画像要求手段を有し、前記画像要求手段による要求に応答して前記画像供給装置から送信される画像データを受信して印刷を行うことを特徴とする印刷システム。
【請求項１７】
画像供給装置から印刷装置に画像データを供給して印刷する印刷システムであって、
前記画像供給装置は、
第１画像データに対して第１の参照番号を設定し、前記第１画像データに対して所定の画像処理を施した第２画像データに対する参照番号を設定する設定手段と、
前記第１の参照番号を含む印刷ジョブを前記印刷装置へ送信して印刷を指示する制御手段と、
前記印刷ジョブに応答して前記印刷装置からの画像要求を受信する受信手段と、
前記画像要求が前記第２の参照番号を含む場合、当該第２の参照番号に対応する前記第１の参照番号に対応する前記第１画像データに対して前記所定の画像処理を施して前記第２画像データを作成する画像処理手段と、
前記画像処理手段により作成された前記第２画像データを前記印刷装置へ送信する送信手段とを有し、
前記印刷装置は、
前記印刷ジョブに含まれる画像に対して前記所定の画像処理が必要かどうかを判定する判定手段と、
前記判定手段の判定の結果に応じて、前記第１或は第２の参照番号を使用して前記画像供給装置に画像を要求する画像要求手段と、
を有することを特徴とする印刷システム。
【請求項１８】
前記画像供給装置は、前記印刷装置から前記第１の参照番号に対応する画像情報が要求されると、対応する前記第１画像データのサイズを前記印刷装置へ送信するサイズ送信手段を更に有し、
前記印刷装置の前記判定手段は、前記サイズに基づいて前記所定の画像処理が必要かどうかを判定することを特徴とする請求項１７に記載の印刷システム。
【請求項１９】
前記所定の画像処理は、画像の回転、リサイズ、色変換処理の少なくともいずれかを含むことを特徴とする請求項１６乃至１８のいずれか１項に記載の印刷システム。
【手続補正２】
【補正対象書類名】明細書
【補正対象項目名】００１１
【補正方法】変更
【補正の内容】
【００１１】
本発明の一態様に係る画像供給装置は以下のような構成を備える。即ち、
印刷装置に画像データを供給する画像供給装置であって、
前記印刷装置に供給する画像の内、所定の画像処理を必要とする画像とそれ以外の画像のそれぞれに対してそれぞれ第１と第２の参照番号を設定する設定手段と、
前記印刷装置に、印刷対象の画像の参照番号を含む印刷ジョブを発行する発行手段と、
前記発行手段による印刷ジョブの発行に応答して前記印刷装置から要求される画像の前記参照番号が前記第１の参照番号である場合、前記第１の参照番号に対応する画像データに対して前記所定の画像処理を実行して前記印刷装置に供給する第１画像供給手段と、
前記ジョブ発行手段による印刷ジョブの発行に応答して前記印刷装置から要求される画像の前記参照番号が前記第２の参照番号である場合、前記第２の参照番号に対応する画像データを読み出して前記印刷装置に供給する第２画像供給手段とを有することを特徴とする。
【手続補正３】
【補正対象書類名】明細書
【補正対象項目名】００１２
【補正方法】変更
【補正の内容】
【００１２】
本発明の一態様に係る印刷システムは以下のような構成を備える。即ち、
画像供給装置から印刷装置に画像データを供給して印刷する印刷システムであって、
前記画像供給装置は、
前記印刷装置に供給する画像の内、所定の画像処理を必要とする画像とそれ以外の画像のそれぞれに対してそれぞれ第１と第２の参照番号を設定する設定手段と、
前記印刷装置から、印刷対象の画像の参照番号を含む印刷ジョブを発行するジョブ発行手段と、
前記ジョブ発行手段による印刷ジョブの発行に応答して前記印刷装置から要求される画像の前記参照番号が前記第１の参照番号である場合、前記第１の参照番号に対応する画像データに対して前記所定の画像処理を実行して前記印刷装置に供給する第１画像供給手段と、
前記ジョブ発行手段による印刷ジョブの発行に応答して前記印刷装置から要求される画像の前記参照番号が前記第２の参照番号である場合、前記第２の参照番号に対応する画像データを読み出して前記印刷装置に供給する第２画像供給手段とを有し、
前記印刷装置は、
前記印刷ジョブに含まれる画像の参照番号を用いて前記画像供給装置に画像データを要求する画像要求手段を有し、前記画像要求手段による要求に応答して前記画像供給装置から送信される画像データを受信して印刷を行うことを特徴とする。
【手続補正４】
【補正対象書類名】明細書
【補正対象項目名】００１３
【補正方法】変更
【補正の内容】
【００１３】
本発明の一態様に係る画像供給装置の制御方法は以下のような工程を備える。即ち、
印刷装置に画像データを供給する画像供給装置の制御方法であって、
前記印刷装置に供給する画像の内、所定の画像処理を必要とする画像とそれ以外の画像のそれぞれに対してそれぞれ第１と第２の参照番号を設定する設定工程と、
前記印刷装置に、印刷対象の画像の参照番号を含む印刷ジョブを発行するジョブ発行工程と、
前記ジョブ発行工程での印刷ジョブの発行に応答して前記印刷装置から要求される画像の前記参照番号が前記第１の参照番号である場合、前記第１の参照番号に対応する画像データに対して前記所定の画像処理を実行して前記印刷装置に供給する第１画像供給工程と、
前記ジョブ発行工程での印刷ジョブの発行に応答して前記印刷装置から要求される画像の前記参照番号が前記第２の参照番号である場合、前記第２の参照番号に対応する画像データを読み出して前記印刷装置に供給する第２画像供給工程とを有することを特徴とする。